(57)【要約】【課題】  パネルの開口部に取り付けられたスイッチ装置のガタつきを防止できるスイッチ装置の取付構造を提供することを課題とする。【解決手段】  被取付部材１の開口部２にスイッチ装置１０を挿入して取り付けるようにしたスイッチ装置１０の取付構造において、取り付け時に前記被取付部材１の開口部２の縁に圧接される弾性変形可能な圧入リブ５０をスイッチ装置１０に設けた凹部２２内に立設した。このように、圧入リブ５０をスイッチ装置１０の凹部２２内に設けることにより、圧入リブ５０の高さを高くすることができるため、圧入リブ５０の変形容量を大きくすることができる。【選択図】  図１
2008047347.tif 000002
【特許請求の範囲】
【請求項１】
被取付部材の開口部にスイッチ装置を挿入して取り付けるようにしたスイッチ装置の取付構造において、取り付け時に前記被取付部材の開口部の縁に圧接される弾性変形可能な圧入リブをスイッチ装置に設けた凹部内に立設したことを特徴とするスイッチ装置の取付構造。
【請求項２】
前記圧入リブを、接点機構を収納するスイッチケースの開口端部を覆う防水カバーに一体的に形成したことを特徴とする請求項１に記載のスイッチ装置の取付構造。
【請求項３】
前記防水カバーを、前記スイッチケースの開口端部に一体的にインサート成形によって設けるようにしたことを特徴とする請求項２に記載のスイッチ装置の取付構造。
【発明の詳細な説明】
【技術分野】
【０００１】
本発明は、例えば、車両のパネルの開口部内に取り付けられるスイッチ装置の取付構造に関するものである。
【背景技術】
【０００２】
例えば、車両のバックドアには 開閉操作するためのハンドルが設けられている。このハンドルには、ラッチを備えたドアロック装置が連結される一方、このドアロック装置は、アクチュエータによって自動開閉可能にも構成されている。このアクチュエータによる自動開閉は、ハンドルの近傍に配設されたスイッチを操作することにより可能としたもの      がある。
【０００３】
前記スイッチは、ドアパネルの内部に配設されており、その操作部材の操作部をパネルから外部に露出させて操作可能に構成している。そして、車両は降雨により濡れるため、前記操作部材の操作部が露出する部分からの水滴の侵入を防止する防水カバーを備えた防水スイッチを使用する必要がある。
【０００４】
このようなスイッチ装置に関連する先行技術文献情報としては次のものがある。
【０００５】
【特許文献１】特開２００５−３１０７０６号公報
【０００６】
この特許文献１のように、パネルの開口部内に取り付けるタイプのスイッチ装置では、取り付け状態でパネルの開口部とスイッチ装置との間に隙間（遊び）があると、車両の振動によりスイッチ装置がガタつき、異音が発生するという問題があった。
【発明の開示】
【発明が解決しようとする課題】
【０００７】
本発明は、従来の問題に鑑みてなされたもので、パネルの開口部に取り付けられたスイッチ装置のガタつきを防止できるスイッチ装置の取付構造を提供することを課題とするものである。
【課題を解決するための手段】
【０００８】
前記課題を解決するため、本発明のスイッチ装置は、被取付部材の開口部にスイッチ装置を挿入して取り付けるようにしたスイッチ装置の取付構造において、取り付け時に前記被取付部材の開口部の縁に圧接される弾性変形可能な圧入リブをスイッチ装置に設けた凹部内に立設した構成としている。
【０００９】
この構成によれば、被取付部材の開口部とスイッチ装置との間に設けられた圧入リブにより、被取付部材の開口部とスイッチ装置との隙間が吸収されるためスイッチ装置にガタつきが生じることがない。また、圧入リブをスイッチ装置の凹部内に設けることにより、圧入リブの高さを高くすることができるため、圧入リブの変形容量を大きくすることができる。さらに、圧入リブの変形が凹部によって受け入れられるため、さらに圧入リブは変形がしやすくなり、変形容量をさらに大きくすることができる。その結果、被取付部材の開口部の公差が大きい場合でも、被取付部材の開口部とスイッチ装置との遊びを確実に吸収できるため、スイッチ装置のガタツキを確実に阻止することができ、また、スイッチ装置の取り付けも容易となる。
【００１０】
本発明のスイッチ装置では、前記圧入リブを、接点機構を収納するスイッチケースの開口端部を覆う防水カバーに一体的に形成してもよい。
【００１１】
この構成によれば、圧入リブが防水カバーに一体的に形成されているため、別途圧入リブのみ設ける必要がなく、製造コストを削減することができる。
【００１２】
本発明のスイッチ装置では、前記防水カバーを、前記スイッチケースの開口端部に一体的にインサート成形によって設けるようにしてもよい。
【００１３】
この構成によれば、インサート成形時に圧入リブの端部にバリが発生しても、そのバリは凹部内に収納されるため、組み付け時にバリがパネルの開口部に干渉することがなく、組み付け性を向上することができる。
【発明の効果】
【００１４】
本発明のスイッチ装置の取付構造では、パネルの開口部に取り付けられたスイッチ装置のガタつきを確実に防止することができる。
【発明を実施するための最良の形態】
【００１５】
以下、本発明の実施の形態を図面に従って説明する。
【００１６】
図１、図２は、本発明の実施形態に係るスイッチ装置１０を示す。このスイッチ装置１０は、車両のバックドアなどのドアパネルに配設した図示しないロック装置をアクチュエータによって動作させるために操作部を車外に露出するように取り付けられるもので、大略、スイッチケース１２と、ターミナルベース２４と、操作部材３６と、接点機構と、防水カバー４８とを備えている。
【００１７】
前記スイッチケース１２は、被取付部材であるドアパネル１の開口部２の内部に配設されるもので、図１、図２、及び図３に示すように、直方体筒形状をなし、その長手側両側面にスイッチ装置１０をドアパネル１に固定するための弾性腕部１３を形成したものである。このスイッチケース１２の車外側（図１、図２中下側）の開口端部１４にはフランジ部１６が設けられている。このフランジ部１６の車外側の面には、図３に示すように、防水カバー４８の一部が嵌まり込む矩形リング状の溝１８と、この溝１８上でスイッチケース１２の短手側の両側面に対応する位置にそれぞれ２つずつ設けられた貫通孔２０と、が設けられている。また、フランジ部１６から見て車内側のスイッチケース１２の側面には、図１及び図２に示すように、各貫通孔２０に連通する４つの凹部２２（図１では片面側の２つだけ図示）が設けられている。
【００１８】
前記ターミナルベース２４は、図２に示すように、縦断面略Ｈ字形状をなし、前記スイッチケース１２内に収納固定されている。車外側が開口した箱状の収納凹部２６の底面には、接点機構の一部を構成する一対の固定接点２８、２８が設けられている。この固定接点２８、２８は、ターミナルベース２４にインサート成形された図示しないターミナル端子の一部を外部に露出して形成したものであり、このターミナル端子は、収納凹部２６とは反対側の凹状部３０から導出され、半田付けによって接続された導線３２によって電気的に外部と接続可能な状態となっている。そして、この導線３２の接続部分の保護およびスイッチケース１２内への水滴の侵入を防止するために、ボンドなどの接着材３４が、車内側のスイッチケース１２の開口部分に充填されている。
【００１９】
前記操作部材３６は、図２に示すように、前記収容凹部２６内に進退可能に配設され、円弧状に加工された前記操作部３８がドアパネル１の開口部２から車外に突出するように配置されるものである。具体的には、この操作部材３６は、前記収容凹部２６に収容可能な直方体形状をなし、その先端の操作部３８を円弧状としたものである。
【００２０】
前記接点機構は、操作部材３６の移動によって作動されるもので、前記収容凹部２６の底に配設される固定接点２８、２８と、弾性部材４２とで構成される。前記弾性部材４２はゴム製でドーム形状をなし、内部の基部４４の底には、一対の固定接点２８、２８を短絡させる金属製の可動接点４６が配設されている。
【００２１】
前記防水カバー４８は、スイッチケース１２の車外側の開口端部１４を覆い、スイッチケース１２内に水滴が侵入することを防止するためのものである。この防水カバー４８は、エラストマーなどの弾性を有する樹脂によりスイッチケース１２の開口端部１４に一体的にインサート成形されており、図２、図３および図４に示すように、スイッチケース１２のフランジ部１６全体を覆うように設けられている。この防水カバー４８には、中央部に操作部材３６の操作部３８が内部側から当接する張出部４９が設けられ、スイッチケース１２の側面に形成された凹部２２の底面には、防水カバー４８に一体的に形成された圧入リブ５０が立設されている。
【００２２】
圧入リブ５０は、図５に示すように、スイッチケース１２の側面よりも高い位置となるようにスイッチケース１２の側面に立設されているとともに、ドアパネル１の開口部２へのスイッチ装置１０の挿入を容易にするための傾斜部５２が形成されている。この圧入リブ５０は、スイッチケース１２の貫通孔２０内を通り、さらにフランジ部１６の外側を回り込んでリング状に形成された防水カバー４８の連結部５４と一体に形成される。これにより、圧入リブ５０が所定の位置に確実に保持される。また、この連結部５４はスイッチケース１２の短手側の両側面に対応する位置にそれぞれ２つずつ設けられるので、スイッチ装置１０の取り付け時に圧入リブ５０が圧縮されても、防水カバー４８本体がスイッチケース１２に対して捲れ上がったりすることを防止することができる。また、スイッチケース１２の凹部２２の底面２２ａと圧入リブ５０との接合部分には、防水カバー４８のインサート成形時にバリが発生することがあるが、このバリは凹部２２内に収納されるため、スイッチ装置１０の取り付け時にバリがドアパネル１と干渉することを防止することができる。
【００２３】
次に、前記スイッチ装置１０の取り付け作業について説明する。
【００２４】
ドアパネル１の開口部２は、スイッチ装置１０を装着しやすいように、スイッチ装置１０の外形よりも若干大きく形成されており、ドアパネル１の開口部２の車外側からスイッチ装置１０を挿入して押し込むと、弾性腕部１３がドアパネル１の開口部２の縁に係合して内側に弾性変形される。さらに、スイッチ装置１０を挿入していくと、ドアパネル１の開口部２の縁が圧入リブ５０の傾斜部５２に当接し、圧入リブ５０は序所に内側に圧縮される。そして、スイッチ装置１０のフランジ部１６がドアパネル１の開口部２周辺の面に当接する位置まで来ると、弾性腕部１３が弾性復帰してその先端がドアパネル１の開口部２の縁に係合し、スイッチ装置１０がドアパネル１に固定される。
【００２５】
この固定された状態では、４つの圧入リブ５０が、ドアパネル１の開口部２とスイッチ装置１０との間に介在して圧縮された状態となっているため、開口部２内でスイッチ装置１０がガタつくことがなく、振動によって異音が発生することがない。
【００２６】
また、圧入リブ５０をスイッチ装置１０の凹部２２内に設けることにより、圧入リブ５０の高さを高くすることができるため、圧入リブ５０の変形容量を大きくすることができる。さらに、圧入リブ５０の変形が凹部２２によって受け入れられるため、さらに圧入リブ５０は変形がしやすくなり、変形容量をさらに大きくすることができる。その結果、ドアパネル１の開口部２の公差が大きい場合でも、ドアパネル１の開口部２とスイッチ装置１０との遊びを確実に吸収できるため、スイッチ装置１０のガタツキを確実に阻止することができ、また、スイッチ装置１０の取り付けも容易となる。
【００２７】
なお、本発明のスイッチ装置の取付構造は、前記実施形態の構成に限定されるものではなく、種々の変更が可能である。
【００２８】
例えば、本実施形態では、防水カバー４８をスイッチケース１２に一体的に形成したが、これに限定されることはなく、例えば、別部材のゴム製の防水カバーをスイッチケース１２の開口端部１４に接着材、または、固定部材等によって固定するようにしてもよい。また、圧入リブ５０の数は、４つに限定されることはなく、適宜変更が可能である。
【００２９】
また、スイッチ装置を取り付ける相手側の被取付部材は、車両のドアパネルに限定されることはなく、例えば、ドアパネルにスイッチベース（被取付部材）を取り付け、このスイッチベースにスイッチ装置を取り付ける開口部を設けるようにしてもよい。また、車両のスイッチ装置に限定されることはなく、被取付部材の開口部にスイッチ装置を取り付けるようにしたものであれば、どのような形態のものにも採用が可能であり、被取付部材の形状も特に平板状に限定されるものではない。
【図面の簡単な説明】
【００３０】
【図１】本実施形態におけるスイッチ装置の正面図である。
【図２】図１のＡ−Ａ線断面図である。
【図３】図２のＢ−Ｂ線断面図である。
【図４】本実施形態におけるスイッチ装置の平面図である。
【図５】本実施形態におけるスイッチ装置の要部拡大断面図である。
【符号の説明】
【００３１】
１…ドアパネル（被取付部材）、２…開口部、１０…スイッチ装置、１２…スイッチケース、２２…凹部、２８…固定接点（接点機構）、４２…弾性部材（接点機構）、４８…防水カバー、５０…圧入リブ。
【図１】
2008047347.tif 000003
【図２】
2008047347.tif 000004
【図３】
2008047347.tif 000005
【図４】
2008047347.tif 000006
【図５】
2008047347.tif 000007